(57)【要約】【課題】従来の記録計では、アナログ記録ペンとデジタル印字を行うプロッターペンの２つを有している記録計の場合、個別にペンアップのための機構を設けなければならず、機構が複雑となるなどの問題があった。【解決手段】そこで、本件発明では、アナログペンアップレバーによるアナログ記録ペンのペンアップと、プロッターペンの昇降によるアナログ記録ペンのペンアップは、全てペンアップ軸保持体の回転によって行われるように構成し、アナログ記録ペンとデジタル印字を行うプロッターペンの２つを有している記録計において、個々のペンアップのための機構の一部をペンアップ軸保持体を介して行うことで、機構の一部を簡素化することが可能となった。【選択図】図４
2011033382.tif 000002
【特許請求の範囲】
【請求項１】
筺体と、
筺体に設置された記録制御部と、
筺体から引出可能に設置された記録紙架台と、
からなる記録計において、
記録制御部は、
記録紙の送り方向と直交する摺動軸に保持された少なくとも１つのアナログ記録ペンと、
前記摺動軸に平行で、前記アナログ記録ペンの先端を記録紙から離脱させペンアップさせるペンアップ軸と、
前記ペンアップ軸の両端に配置され、ペンアップ軸を保持するペンアップ軸保持体と、
前記ペンアップ軸保持体に設けられ、ペンアップ軸と平行な軸で回転可能に構成され、ペンアップの際にペンアップ軸保持体の回転中心となる回転軸と、
前記ペンアップ軸保持体の少なくとも一つに接続され、ペンアップ軸と協動するアナログペンアップバーと、
アナログペンアップレバーと嵌合することで、アナログ記録ペンをペンアップ状態に保持するアナログペンアップレバー保持部と、
を有し、
記録紙架台は、記録紙架台を筺体から引き出す際に、前記アナログペンアップレバーと当接することでアナログペンアップレバーを駆動させるペンアップレバーガイドと、
を有する記録計。
【請求項２】
前記記録紙にデジタル印字を行うプロッターペンと、
前記プロッターペンを昇降させる昇降手段と、
前記ペンアップ軸保持体に設けられ、前記プロッターペンと当接する保持体押上軸と、を有し、
前記保持体押上軸は、ペンアップ軸保持体に保持され、プロッターペンの昇降に協動して上下し、保持体押上軸を押し上げることでペンアップ軸保持体を回転させ、アナログ記録ペンの先端を記録紙から離着させた、請求項１に記載の記録計。
【請求項３】
前記昇降手段は、円周上に凹凸を有するカムである請求項２に記載の記録計。
【発明の詳細な説明】
【技術分野】
【０００１】
本件発明は、記録紙に記録を行う記録計のペンアップ機構に関する。
【背景技術】
【０００２】
従来、計測機器用の記録計は、記録紙の送り方向と直交する方向に長い摺動軸に保持された移動し記録を行うためのアナログ記録ペンなどが設けられていた。このアナログ記録ペンは、記録紙にペン先が接触した状態が続くと、ペン先からインクが流出し、記録紙に滲んでしまい記録に支障をきたす場合もあった。また、ペン先からインクが流出してしまうと、インクの消耗が激しくなり、記録中にインク切れを起こすなどの問題が発生していた。
【０００３】
そこで、記録計の摺動軸付近にアナログ記録ペンをアップさせるためのペンアップレバーなどを設けた記録計や、特許文献１のようにアナログ記録ペンをスロープに乗り上げるようにすることでペンアップさせた記録計などが提案されている。
【先行技術文献】
【特許文献】
【０００４】
【特許文献１】特許出願公開  特開２００８−０７６１０３号公報
【特許文献２】特許出願公開  特開２００８−２３２９８６号公報
【発明の概要】
【発明が解決しようとする課題】
【０００５】
しかし、特許文献１に示した記録計では、仮に記録中に停電などの何らかのトラブルが発生した場合、アナログ記録ペンを摺動軸方向やペンアップをさせるためのスロープに乗り上げるために移動させることができず、アナログ記録ペンをペンアップ状態にするのが困難となってしまう。このように、ユーザーによって人為的にペンアンプ状態を保持することができない場合、何らかのトラブルや、アナログ記録ペンのペン交換等の際に、ペンアップ状態を保持できず、インクを無駄に流出させてしまう可能性がある。
【０００６】
また、先に示したような、人為的なペンアップ、すなわち手動操作によるペンアップのみが可能な場合、記録を停止して運転を中断する場合など、その都度、ユーザーがレバーを操作する必要が生じてしまう。
【０００７】
さらに、アナログ記録ペンとデジタル印字を行うプロッターペンの２つを有している記録計の場合、個別にペンアップのための機構を設けなければならず、機構が複雑となる問題があった。
【課題を解決するための手段】
【０００８】
そこで、本件発明では、上記課題に鑑み、以下の記録計を提供する。第一の発明としては、筺体から引出可能に設置された記録紙架台と、記録紙の送り方向と直交する摺動軸に保持された少なくとも１つのアナログ記録ペンと、前記摺動軸に平行で、前記アナログ記録ペンの先端を記録紙から離脱させペンアップさせるペンアップ軸と、前記ペンアップ軸の両端に配置され、ペンアップ軸を保持するペンアップ軸保持体と、前記ペンアップ軸保持体に設けられ、ペンアップ軸と平行な軸で回転可能に構成され、ペンアップの際にペンアップ軸保持体の回転中心となる回転軸と、前記ペンアップ軸保持体の少なくとも一つに接続され、ペンアップ軸と協動するアナログペンアップバーと、前記記録紙架台に設けられ、記録紙架台を筺体から引き出す際に、前記アナログペンアップレバーと当接することでアナログペンアップレバーを駆動させるペンアップレバーガイドと、記録制御部に設けられ、アナログペンアップレバーと嵌合することで、アナログ記録ペンをペンアップ状態に保持するアナログペンアップレバー保持部と、からなる記録計を提供する。
【０００９】
第二の発明としては、記録紙にデジタル印字を行うプロッターペンと、プロッターペンを昇降させる昇降手段と、ペンアップ軸保持体に設けられ、プロッターペンと当接する保持体押上軸とを有し、保持体押上軸は、ペンアップ軸保持体に保持され、プロッターペンの昇降に協動して上下し、保持体押上軸を押し上げることでペンアップ軸保持体を回転させ、アナログ記録ペンの先端を記録紙から離着させた、第一の発明に記載の記録計を提供する。
【００１０】
第三の発明としては、昇降手段は、円周上に凹凸を有するカムである第二の発明に記載の記録計を提供する。
【発明の効果】
【００１１】
本件発明の記録計は、アナログペンアップレバーをユーザーが人為的に操作することが可能であり、さらにアナログペンアップレバー保持部によって、ペンアップ状態を保持可能に構成したことで、トラブル発生時であっても、確実にペンアップ状態を保持することが可能となる。
【００１２】
また、一つのアナログペンアップレバーを介して、手動操作および記録紙架台の引出によるペンアップを行っており、少ない部品、簡単な構成で２つの機能を実現することが可能となっている。
【００１３】
さらに、プロッターペンの昇降によって、ペンアップ軸を保持するペンアップ軸保持体に配された保持体押上軸を押し上げることで、アナログ記録ペンのペンアップを可能にしている。したがって、アナログ記録ペンとデジタル印字を行うプロッターペンの２つを有している記録計において、個々のペンアップのための機構の一部を、ペンアップ軸保持体を介して行うことで機構の一部を簡素化することが可能となった。
【図面の簡単な説明】
【００１４】
【図１】実施形態１の記録計を説明するための概念図
【図２】実施形態１の記録計を説明するための概念図
【図３】実施形態１の記録計を説明するための概念図
【図４】実施形態２の記録計を説明するための概念図
【図５】実施形態２の記録計を説明するための概念図
【図６】実施形態２の記録計を説明するための概念図
【発明を実施するための形態】
【００１５】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１６】
実施形態１は、主に請求項１などに関する。実施形態２は、主に請求項２および請求項３などに関する。
＜＜実施形態１＞＞
＜実施形態１  概要＞
【００１７】
本実施形態の記録計は、特許文献２と同様に筺体にアナログ記録ペンや、記録用のペンを動かすためのモーターなどの駆動装置や、駆動装置を制御するための制御部などを有している記録制御部と、記録が行われる記録紙が搭載された記録紙架台からなっている。この記録紙架台は、筺体の前面扉を開けて、記録紙架台を引き出すことで記録紙の交換を行う記録計である。
【００１８】
特に本実施形態の記録計は、印字式記録計において、ペンアップの動作を行うアナログペンアップレバーが、ユーザーが操作することで任意にペンアップが可能な機能と、ペンアップ状態を保持する機能と、記録紙架台を引き出す際にペンアップをさせる機能を有することを特徴とした記録計である。
【００１９】
この３つの機能を一つのアナログペンアップレバーが担うことで、ペンアップ機構の構造が簡略化され、部品点数が少なくなることから、故障などのトラブルが生じる恐れを低減させることが可能となる。
＜実施形態１  構成＞
【００２０】
本実施形態の記録計の側面透視図を図１に示した。図１の側面透視図は、記録計の左側面から見たときの図であり、外側のカバーなどを取り外した状態となっている。また、説明に必要のない種々の部品については記載を省略している。さらに、後に詳述するが、アナログペンアップレバー保持部付近のみを残し記録制御部の一部を透視可能な図となっている。
【００２１】
筺体（図示せず。以下同様）と、筺体に納められた記録制御部と、筺体から引出可能に設置された記録紙架台（０１０１）とからなり、記録制御部は、記録紙の送り方向と直交する摺動軸（０１０２）に保持された少なくとも１つのアナログ記録ペン（０１０３）と、前記摺動軸に平行で、前記アナログ記録ペンの先端を記録紙から離脱させペンアップさせるペンアップ軸（０１０４）と、前記ペンアップ軸の両端に配置され、ペンアップ軸を保持するペンアップ軸保持体（０１０５）と、前記ペンアップ軸保持体に設けられ、ペンアップ軸と平行な軸で回転可能に構成され、ペンアップの際にペンアップ軸保持体の回転中心となる回転軸（０１０６）と、前記ペンアップ軸保持体の少なくとも一つに接続され、ペンアップ軸と協動するアナログペンアップバー（０１０７）と、アナログペンアップレバーと嵌合することで、アナログ記録ペンをペンアップ状態に保持するアナログペンアップレバー保持部（０１１０）とを有し、記録紙架台の側板（０１０８）に設けられ、記録紙架台を筺体から引き出す際に、前記アナログペンアップレバーと当接することでアナログペンアップレバーを駆動させるペンアップレバーガイド（０１０９）とを有する。
【００２２】
本実施形態の記録計は、筺体に記録制御部と記録紙架台が搭載され、記録紙架台は筺体から引出可能に構成されている。また、記録制御部にはアナログ記録ペン、ペンアップ軸、ペンアップ軸保持体、回転軸、アナログペンアップレバー、アナログペンアップレバー保持部などの他、アナログ記録ペンなどを制御する制御装置及び駆動装置や、電源、制御パネルなどを備えている。また場合によっては、記録紙架台に搭載された記録紙を送るための紙送り機構を駆動させるためのモーターなどの駆動装置を備えていてもよい。
【００２３】
「記録紙架台」は、記録紙架台は、記録紙を搭載しており、記録紙の送り機構などを有している。また、記録紙架台は記録紙切れが発生した際に、記録紙を補充するために、筺体から引出可能に構成されている。
【００２４】
「アナログ記録ペン」は、記録紙架台に搭載された記録紙データを記録するためのペンである。アナログ式記録ペンは、本実施形態の記録計においては少なくとも一つ有していればよい。特にアナログ記録ペンの数は限定されない。また、このアナログ記録ペンは、れんぞくてきに記録紙にデータを記録するペン式であってもよいし、不連続にデータを記録紙に記録する打点式であってもよい。このアナログ記録ペンは、アナログ記録ペンの先端が、記録紙上に接触して印字可能な状態がデフォルト（標準状態）となるように、自重によって付勢されている。また、アナログ記録ペンは、摺動軸に保持されながら、摺動軸に平行方向、つまり記録紙の送り方向と直交する方向に移動するように構成されている。
【００２５】
「ペンアップ軸」は、アナログ記録ペンの下面に接触可能に構成され、後述するペンアップ軸保持体に保持されている。ペンアップ軸が上方向に移動すると、アナログ記録ペンの下面と接触し、アナログ記録ペンを押し上げることでペンアップさせている。ペンアップされたアナログ記録ペンは、ペンアップ軸が下方向に移動することで、自重によりデフォルトの状態へと戻る。尚、ペンアップ軸は、摺動軸に沿ってアナログ記録ペンが移動した場合でも、どの位置にアナログ記録ペンが移動しても、ペンアップが可能なように、摺動軸に略平行で、長さも摺動軸に略等しいように構成されている。
【００２６】
「ペンアップ軸保持体」は、ペンアップ軸を保持し、後述する回転軸を中心に回転することで、ペンアップ軸を上下させている。また、ペンアップ軸保持体は、ペンアップ軸を保持するためペンアップ軸の両端に設けられている。このうち、少なくともどちらか一方に、後述するペンアップレバーが接続されており、ペンアップレバーを動かすことで、ペンアップ軸保持体を動かすことも可能である。
【００２７】
「回転軸」は、ペンアップ軸保持体が回転する際の回転中心となる軸であり。この回転軸を介して、ペンアップ軸保持体は記録制御部に固定されている。この回転軸を中心にペンアップ軸保持体が回動することで、ペンアップ軸保持体に保持されているペンアップ軸が上下方向に動き、アナログペンを上下させる。
【００２８】
「アナログペンアップレバー」は、ペンアップ軸保持体に接続された操作レバーであって、ユーザーが任意のタイミングで操作することができるように構成された操作レバーである。アナログペンアップレバーを動かすことで、先に示したペンアップ軸保持体を回転軸を中心に回動することが可能である。つまり、アナログペンアップレバーを操作することで、アナログペンを上下させることが可能である。
【００２９】
「ペンアップレバーガイド」は、記録紙架台に設けられ、記録紙架台を筺体から引き出す際に、アナログペンアップレバーと当接し、ペンアップ軸保持体を回転させながら、記録紙架台を筺体から引き出すことが可能なように構成されている。この記録紙架台の筺体からの引出動作と、ペンアップレバーガイドおよびアナログペンアップレバーとの関係を図２を用いて説明する。図２の（ａ）は、記録制御部（０２０１）に記録紙架台（０２０２）がセッティングされた状態、つまり記録が可能な状態である。アナログペンアップレバー（０２０３）とペンアップレバーガイド（０２０４）は当接した状態で、アナログ記録ペン（０２０５）も記録紙（図示せず）に接触し記録が可能な状態である。次に、（ｂ）は、筺体から記録紙架台を引きたす過程の図である。この状態では、記録紙架台が前方向へ移動するため、これに伴いペンアップレバーガイドは、アナログペンアップレバーを押し上げた状態となる。この状態では、アナログペンアップレバーが押し上げられて動かされたため、ペンアップ軸保持体（０２０６）が回転軸（０２０７）を中心に回転し、アナログ記録ペンは記録紙から離れてペンアップ状態となる。さらに（ｃ）は完全に筺体から記録紙架台が引き出された状態である。この状態では、アナログペンアップレバーとペンアップレバーガイドは、当接しておらず、アナログ記録ペンも下がった状態となる。しかし、記録紙架台は引き出されているため、アナログ記録ペンのペン先は記録紙には接していない状態である。
【００３０】
このように、記録紙架台を筺体から引き出す際にペンアップレバーガイドにより、アナログペンアップレバーを押し上げることで、アナログ記録ペンが記録紙に接した状態で記録紙架台を引き出してペン先を痛めるなどの破損を防ぐことが可能となる。特に、本実施形態のような構成は、電源のＯＮやＯＦＦにかかわりなく、確実にペンアップされる構成である。
【００３１】
尚、このペンアップレバーガイドは、ペンアップ軸保持体に接続されたアナログペンアップレバーと当接させることから、記録紙架台の側面、つまり記録紙架台の側板またはその近傍などに設けることが望ましい。
【００３２】
「アナログペンアップレバー保持部」は、記録制御部に設けられ、アナログペンアップレバーと嵌合することで、アナログ記録ペンをペンアップ状態に保持する。アナログペンアップレバーを上げ、ペンアップ軸保持体を回動することで、アナログ記録ペンをペンアップ状態とし、この状態を維持するように、アナログペンアップレバーとアナログペンアップレバー保持部を嵌合させる。
【００３３】
図３に本実施形態の記録計を説明するための概念図を示した。図３の（ａ）は、記録制御部（０３０１）を右側面方向から見たときの概念図である。（ａ）では、アナログペンアップレバー（０３０２）などがアナログペンアップレバー保持部（０３０３）を有する側面（０３０４）の背後となり見えないため、アナログペンアップレバー保持部付近の一部のみを残して記載した（ｂ）を用いて説明する。破線で囲まれた部分が、記録制御部の側面に設けられたアナログペンアップレバー保持部である。まず、（ｂ）の状態では、アナログ記録ペン（０３０５）は、記録紙（図示せず）と接した状態である。この状態から、記録計の使用者であるユーザーがアナログペンアップレバーを上げると、前述のように、ペンアップ軸保持体（０３０６）が回動し、アナログ記録ペンは記録紙から離れてペンアップ状態となる。この状態では、アナログペンアップレバーとペンアップレバー保持部は嵌合された状態となる前であり、先に述べたペンアップレバーガイド（０３０７）により、アナログペンアップレバーが押し上げられた状態とほぼ同じ状態である。この状態では、ユーザーがアナログペンアップレバーから手を離すと、アナログペンアップレバーは元の状態、つまり記録紙に接した状態へと戻り、ペンアップ状態を維持することができない。
【００３４】
この状態からさらに、アナログペンアップレバーを上げると、（ｃ）の状態、つまりアナログペンアップレバーとペンアップレバー保持部を嵌合させた状態となる。嵌合後は、ユーザーがアナログペンアップレバーから手を離しても、アナログペンアップレバーは、嵌合された状態を維持し、ペンアップ状態を維持することが可能となる。逆にペンアップ状態を解除するには、嵌合を解除すれば、自重により自然にアナログペンアップレバーが下がり、元の状態に戻る。
＜実施形態１  効果＞
【００３５】
本実施形態の記録計のように、アナログペンアップレバーをユーザーが人為的に操作することが可能なように構成し、さらにアナログペンアップレバー保持部によって、ペンアップ状態を保持可能に構成したことで、トラブル発生時であっても、確実にペンアップ状態を保持することが可能となる。
【００３６】
また、一つのアナログペンアップレバーを介して、手動操作および記録紙架台の引出によるペンアップを行っており、少ない部品、簡単な構成で２つの機能を実現することが可能となっている。
＜＜実施形態２＞＞
＜実施形態２  概要＞
【００３７】
本実施形態の記録計は、デジタル印字を行うプロッターペンを有する記録計であって、プロッターペンの昇降に応じて、実施形態１に示したペンアップ軸保持体を回動することで、プロッターペンとアナログ記録ペンが協動することを特徴とした記録計である。
＜実施形態２  構成＞
【００３８】
図４に本実施形態の記録計の側面概念図を示した。図４の（ａ）は右側面図であり、（ｂ）は左側面図である。図４は説明のため、一部の部品を省略して記載している。本実施形態の記録計は、実施形態１に記載した、記録制御部（０４０１）および記録紙架台（０４０２）、アナログ記録ペン（０４０３）、ペンアップ軸（０４０４）、ペンアップ軸保持体（０４０５）、回転軸（０４０６）、アナログペンアップレバー（０４０７）、ペンアップレバーガイド（０４０８）、アナログペンアップレバー保持部（０４０９）を有する記録計にさらに、記録紙にデジタル印字を行うプロッターペン（０４１０）と、プロッターペンを昇降させる昇降手段（０４１１）と、ペンアップ軸保持体に設けられ、プロッターペンと当接する保持体押上軸（０４１２）とを有し、保持体押上軸は、ペンアップ軸保持体に保持され、プロッターペンの昇降に協動して上下し保持体押上軸を押し上げることでペンアップ軸保持体を回転させ、アナログ記録ペンの先端を記録紙から離着させる。
【００３９】
「プロッターペン」は、記録紙に対してデジタル印字を行うための印字装置である。尚、プロッターペンとしては、インクジェット方式やインクリボン式、レーザー方式、記録紙が感熱紙の場合は熱転写方式などであってもよい。プロッターペンが記録紙に対してデジタル印字を行う内容は、アナログ記録ペンが記録紙に印字するデータとは異なり、予め設定された内容、例えば時刻や測定値、測定単位などの各種情報を記録紙に対して印字を行う。
【００４０】
図５にプロッターペン（０５０１）の昇降の様子を説明するための概念図を示した。図５の（ａ）は、プロッターペンは、印字状態であってペン先が記録紙に接している状態である。（ｂ）は、プロッターペンが上がった状態であり、ペンアップ軸保持体（０５０２）を押し上げている状態である。プロッターペンは、プロッターペンを昇降させることで、プロッターペンのペン先を記録紙に着けたり離したりする。このプロッターペンを昇降させるのは、後述する昇降手段（０５０３）である。またプロッターペンの上方には、実施形態１で詳述したペンアップ軸保持体に、保持体押上軸（０５０４）を有している。プロッターペンが上がると保持体押上軸とプロッターペンが接触し、保持体押上軸はプロッターペンによって押し上げられる。
【００４１】
プロッターペンの昇降は、単にプロッターペンのペン先を記録紙から離着するだけの場合もあれば、保持体押上軸を押し上げて昇降する場合もある。これは後述する昇降手段によって制御される。また、プロッターペンの昇降が保持体押上軸を押し上げるか否かは、記録計のその時の動作によって判断されるものである。
【００４２】
「昇降手段」は、先に述べたように、プロッターペンの昇降を行う。この昇降手段としては、様々な方法が提案されているが、本実施形態では円周上に凹凸を有するカムを回転させることで、プロッターペンを昇降させる昇降手段について説明する。図６に本実施形態の昇降手段、すなわち凹凸を有するカムの部分拡大図を示した。図６に示したように、本実施形態の昇降手段であるカムには、円周上に多数の凹凸を有している。この昇降手段は、凹凸に対応した高さだけ、プロッターペンが昇降する構成となっている。
【００４３】
例えば、図６において、プロッターペンは印字を行う場合、Ａの範囲を回転して往復回動することでアップダウンする。基準のＳでは昇降手段の凸部（０６０１）でプロッターペンは押し上げられ、ペンアップ状態となる。また、位置Ｔでは昇降手段の凹部（０６０２）で、プロッターペンはダウン位置となり、記録可能となる。印字を行わない場合、昇降手段は初期位置Ｓでプロッターペンをアップ状態に保つ。
【００４４】
アナログ記録ペンも記録を行わないレコードオフの状態では、昇降手段をＳ、Ｔから更に角度範囲Ｃまで回動させて位置Ｕとし、この位置Ｕの凸部（０６０３）は凸部Ａよりも高いので、この昇降手段の凸部（０６０３）で、プロッターペンを押し上げプロッターペンは通常のアップ位置よりも更に高いアップ位置となる。このとき、プロッターペンは、ペンアップ軸保持体に保持されている保持体押上軸を押し上げ、アナログ記録ペンを押し上げて、プロッターペンとアナログ記録ペンが同時にペンアップ状態となる。
【００４５】
「保持体押上軸」は、ペンアップ軸保持体に設けられプロッターペンによってペンアップ軸保持体を回転させるための軸である。保持体押上軸は、先に説明したペンアップ軸保持体と平行で、記録紙の送り方向と直交する方向に配置されている。保持体押上軸は、先に説明したプロッターペンによって押し上げられることから、その断面は円形ではなく略四角形であることが望ましい。また、保持体押上軸が設けられたペンアップ軸保持体は、図４および図５などにも示したように、略逆Ｔ字形状であった場合、ペンアップ軸保持体の回転軸と対向する底辺端部に設けることが望ましい。このように。ペンアップ軸保持体の回転軸と対向する底辺端部に保持体押上軸を配することで、小さな力でペンアップ軸保持体を押し上げることが可能であり、さらにペンアップ軸保持体の回転量を正確にコントロールすることが可能となる。
【００４６】
また、本実施形態の記録計では、アナログ記録ペンとプロッターペンはそれぞれ独立してペンアップすることが可能である。例えば、アナログ記録ペンがアナログペンアップレバーによってペンアップされていても、プロッターペンは記録紙にデジタル印字を行うことが可能である。また、逆にプロッターペンがペンアップの状態であっても、アナログ記録ペンは、データを記録紙に印字することが可能である。また、アナログ記録ペンがアナログペンアップレバーによってペンアップされ、プロッターペンが昇降手段によってペンアップされる場合もある。プロッターペンとアナログ記録ペンが協動してペンアップを行うのは、図５および図６で説明したように、プロッターペンが通常のペンアップ状態からさらに上方へペンアップされ、保持体押上軸を押し上げた場合である。この場合は、プロッターペンがペンアップされると、アナログ記録ペンもペンアップされた状態となる。
【００４７】
また、プロッターペンが保持体押上軸を押し上げることなく、ペンアップを行う場合には、アナログペンアップレバーが昇降しないように、図５に示したように、アナログペンアップレバーに切り欠き（０５０５）を設けてもよい。このようにすることで、プロッターペンがペンアップするたびにアナログペンアップレバーが上下しばたつくのを抑えることが可能である。
＜実施形態２  効果＞
【００４８】
本実施形態の記録計のように、プロッターペンを有する記録計において、プロッターペンの昇降によって、ペンアップ軸を保持するペンアップ軸保持体に配された保持体押上軸を押し上げることで、アナログ記録ペンのペンアップを可能にしている。
【００４９】
また、実施形態１にも示したように、アナログペンアップレバーによるアナログ記録ペンのペンアップと、プロッターペンの昇降によるアナログ記録ペンのペンアップは、全てペンアップ軸保持体の回転によって行われている。つまり、アナログ記録ペンとデジタル印字を行うプロッターペンの２つを有している記録計において、個々のペンアップのための機構の一部をペンアップ軸保持体を介して行うことで、機構の一部を簡素化することが可能となった。
【符号の説明】
【００５０】
０４０１  記録制御部
０４０２  記録紙架台
０４０３  アナログ記録ペン
０４０４  ペンアップ軸
０４０５  ペンアップ軸保持体
０４０６  回転軸
０４０７  アナログペンアップレバー
０４０８  ペンアップレバーガイド
０４０９  アナログペンアップレバー保持部
０４１０  プロッターペン
０４１１  昇降手段
０４１２  保持体押上軸
【図１】
2011033382.tif 000003
【図２】
2011033382.tif 000004
【図３】
2011033382.tif 000005
【図４】
2011033382.tif 000006
【図５】
2011033382.tif 000007
【図６】
2011033382.tif 000008